(57)【要約】      （修正有）【課題】ドクタ装置の高い均一性、高い均斉化精度を、簡単にかつ相応して経済的に確保されている均斉化装置を提供する。【解決手段】走行中の材料ウェブ、特に紙ウェブ、厚紙ウェブ、ティッシュウェブまたは別の繊維材料ウェブに直接的または間接的に塗被可能な液状またはペースト状の媒体を均斉にするための均斉化装置が、少なくとも１つのドクタエレメントと、該ドクタエレメントを取り付けるためのドクタ保持装置とを有している。この場合、ドクタ保持装置が、少なくともほぼ繊維複合材料から成っている。【選択図】図１
0003175276.tif 000002
【実用新案登録請求の範囲】
【請求項１】
走行中の材料ウェブ、特に紙ウェブ、厚紙ウェブ、ティッシュウェブまたは別の繊維材料ウェブに直接的または間接的に塗被可能な液状またはペースト状の媒体を均斉にするための均斉化装置（１０）であって、少なくとも１つのドクタエレメント（１２）と、該ドクタエレメント（１２）を取り付けるためのドクタ保持装置（１４）とが設けられている形式のものにおいて、ドクタ保持装置（１４）が、少なくともほぼ繊維複合材料から成っていることを特徴とする、液状またはペースト状の媒体を均斉にするための均斉化装置。
【請求項２】
ドクタ保持装置（１４）が、ガラス繊維強化プラスチック（ＧＦＲＰ）を含有する材料から成っている、請求項１記載の均斉化装置。
【請求項３】
ドクタ保持装置（１４）が、ガラス繊維、ガラス糸、少なくとも１つのガラスマットおよび／または少なくとも１つのガラス織布を含有する材料から成っている、請求項２記載の均斉化装置。
【請求項４】
ドクタ保持装置（１４）が、アラミド、たとえばアラミド繊維、アラミド糸、少なくとも１つのアラミドマットおよび／または少なくとも１つのアラミド織布を含有する材料から成っている、請求項１記載の均斉化装置。
【請求項５】
ドクタ保持装置（１４）の、ガラス繊維強化プラスチック（ＧＦＲＰ）を含有する材料およびアラミドを含有する材料が、補強されていて、かつ／または充填材を備えている、請求項２または４記載の均斉化装置。
【請求項６】
ドクタ保持装置（１４）の、ガラス繊維強化プラスチック（ＧＦＲＰ）を含有する材料およびアラミドを含有する材料が、ハンドレイアップまたは引抜成形により製造されている、請求項１から５までのいずれか１項記載の均斉化装置。
【請求項７】
ドクタ保持装置（１４）が、炭素繊維強化プラスチック（ＣＦＲＰ）を含有する材料から成っている、請求項１記載の均斉化装置。
【請求項８】
ドクタ保持装置（１４）が、炭素繊維、炭素糸、少なくとも１つの炭素マットおよび／または少なくとも１つの炭素織布を含有する材料から成っている、請求項７記載の均斉化装置。
【請求項９】
ドクタ保持装置（１４）の、炭素繊維強化プラスチック（ＣＦＲＰ）を含有する材料が、ハンドレイアップによるか、またはオートクレーブ中で特にプリプレグから製造されている、請求項７または８記載の均斉化装置。
【請求項１０】
ドクタ保持装置（１４）が、約−４×１０−６ｍ／Ｋ〜約＋４×１０−６ｍ／Ｋの範囲の熱膨張率を有している、請求項１から９までのいずれか１項記載の均斉化装置。
【請求項１１】
ドクタ保持装置（１４）が、支持体（２０）に支持されており、該支持体（２０）にドクタ保持装置（１４）が、直接的にまたは熱遮蔽を用いて間接的に結合されている、請求項１から１０までのいずれか１項記載の均斉化装置。
【請求項１２】
ドクタ保持装置（１４）が、複数のウェブ（２６）を介して間接的に支持体（２０）に結合されており、熱遮蔽が、有利には各ウェブ（２６）の間に設けられた空気を介して行われる、請求項１１記載の均斉化装置。
【請求項１３】
ドクタ保持装置（１４）が、たとえばねじ結合またはスナップ結合によって解離可能に支持体（２０）に結合されている、請求項１から１２までのいずれか１項記載の均斉化装置。
【請求項１４】
ドクタ保持装置（１４）の、ドクタエレメント（１２）が保持されている範囲が、少なくとも部分的に、耐摩耗性の材料を備えている、請求項１から１３までのいずれか１項記載の均斉化装置。
【請求項１５】
ドクタ保持装置（１４）が、少なくとも部分的に中空に形成されていて、たとえばハニカム状の構造を有している、請求項１から１４までのいずれか１項記載の均斉化装置。
【考案の詳細な説明】
【技術分野】
【０００１】
本考案は、走行中の材料ウェブ、特に紙ウェブ、厚紙ウェブ、ティッシュウェブまたは別の繊維材料ウェブに直接的または間接的に塗被可能な液状またはペースト状の媒体を均斉にするための均斉化装置であって、少なくとも１つのドクタエレメントと、該ドクタエレメントを取り付けるためのドクタ保持装置とが設けられている形式のものに関する。この場合、ドクタエレメントは、たとえば塗工ブレードまたは任意の別の種類のドクタエレメントであってよい。
【０００２】
このような形式の装置は、たとえば欧州特許出願公開第０８４６８０４号明細書に基づき公知である。
【０００３】
従来汎用のドクタ保持装置は鋼または特殊鋼から成っている。その場合に不都合となるのは、鋼または特殊鋼の加熱度が、特に熱負荷の変動に基づいて生産状態に応じて種々異なることである。熱負荷の差は、たとえば次の事情により生ぜしめられる：冷たい水を用いた始動状態、温かい塗工媒体を用いた生産開始、さらに加熱された塗工媒体を用いた連続生産、外部影響因子、たとえばその都度のクリーニングと関連した外部影響因子または周囲の熱特性。この場合、この可変の熱負荷は、全体的にも、機械幅にわたっても、ドクタ保持装置に種々異なる作用を及ぼす恐れがある。
【０００４】
各ドクタエレメントのためにできるだけ均一なベースを提供し、ひいてはできるだけ高い均斉化精度を得るために、欧州特許出願公開第０８４６８０４号明細書に基づき公知の装置では、ドクタ保持装置が、長さ膨張補償装置を介して、対応する支持体に結合されている。しかし、このような長さ膨張補償装置は比較的手間がかかり、かつ相応して高価である。
【０００５】
欧州特許出願公開第０７８１６０８号明細書に基づき公知の、冒頭で述べた形式の装置では、ドクタ保持装置が、対応する支持体に枢着結合されており、これにより熱膨張差の補償のために、ドクタ保持装置と支持体との間の相対運動が可能になる。ドクタ保持装置と支持体との間のこのような枢着結合も比較的手間がかかる。
【０００６】
本考案の根底を成す課題は、冒頭で述べた形式の均斉化装置を改良して、前で挙げた欠点が取り除かれているような均斉化装置を提供することである。この場合、特にドクタ保持装置のできるだけ高い均一性、ひいてはできるだけ高い均斉化精度が、できるだけ簡単にかつ相応して経済的に確保されていることが望まれる。
【０００７】
この課題は本考案によれば、ドクタ保持装置が少なくともほぼ繊維複合材料から成っていることにより解決される。
【０００８】
このような構成に基づき、ドクタ保持装置のために、機械横方向において、つまり材料ウェブの走行方向に対して直交する方向において、極めて低い熱膨張率が得られる。この場合、前で挙げた熱的な妨害因子は重要でなくなり、長さ膨張補償装置が必要となることなしにドクタ保持装置の均一性もしくは均斉化がいつでも保証されている。したがって、このような比較的手間のかかる、相応して高価な長さ膨張補償装置を不要にすることができる。さらに、繊維複合材料を有するドクタ保持装置の構成に基づき、ドクタ保持装置の動的な安定性の向上が得られる。
【０００９】
本考案による均斉化装置の有利な構成では、ドクタ保持装置が、ガラス繊維強化プラスチック（ＧＦＲＰ）を含有する材料から成っている。この場合、ドクタ保持装置は少なくともほぼ全体がガラス繊維強化プラスチック（ＧＦＲＰ）から成っていてよい。
【００１０】
ドクタ保持装置は、特にガラス繊維、ガラス糸、少なくとも１つのガラスマットおよび／または少なくとも１つのガラス織布を含有する材料から成っていてよい。
【００１１】
ドクタ保持装置の、ガラス繊維強化プラスチック（ＧＦＲＰ）を含有する材料は、たとえば補強されていて、かつ／または充填材を備えていてよい。
【００１２】
ドクタ保持装置の、ガラス繊維強化プラスチック（ＧＦＲＰ）を含有する材料は、ハンドレイアップまたは引抜成形により製造されていると有利である。
【００１３】
本考案による均斉化装置の別の有利な構成では、ドクタ保持装置が、アラミドを含有する材料から成っている。この場合、ドクタ保持装置は特に少なくともほぼ全体がアラミドから成っていてよい。
【００１４】
この場合、ドクタ保持装置は、たとえばアラミド繊維、アラミド糸、少なくとも１つのアラミドマットおよび／または少なくとも１つのアラミド織布を含有する材料から成っていてよい。
【００１５】
ドクタ保持装置の、アラミドを含有する材料は、補強されていて、かつ／または充填材を備えていてよい。
【００１６】
ドクタ保持装置の、アラミドを含有する材料は、ハンドレイアップまたは引抜成形により製造されていると有利である。
【００１７】
本考案による均斉化装置のさらに別の有利な構成では、ドクタ保持装置が、炭素繊維強化プラスチック（ＣＦＲＰ）を含有する材料から成っている。この場合、ドクタ保持装置は少なくともほぼ全体が炭素繊維強化プラスチック（ＣＦＲＰ）から成っていてよい。
【００１８】
ドクタ保持装置は特に、炭素繊維、炭素糸、少なくとも１つの炭素マットおよび／または少なくとも１つの炭素織布を含有する材料から成っていてよい。
【００１９】
ドクタ保持装置の、炭素繊維強化プラスチック（ＣＦＲＰ）を含有する材料は、ハンドレイアップによるか、またはオートクレーブ中で特にプリプレグから製造されていると有利である。
【００２０】
ドクタ保持装置は、約−４×１０−６ｍ／Ｋ〜約＋４×１０−６ｍ／Ｋの範囲の熱膨張率を有していると有利である。
【００２１】
ドクタ保持装置は一般に支持体に支持されている。この場合、ドクタ保持装置はこの支持体に、機械的に直接に結合されているか、または熱遮蔽を用いて間接的に結合されていてよい。
【００２２】
有利な実施態様では、ドクタ保持装置が、複数のウェブを介して間接的に支持体に結合されており、この場合、熱遮蔽が、有利には各ウェブの間に設けられた空気を介して行われる。
【００２３】
支持体には、液状もしくはペースト状の媒体を塗被するための塗工装置も支持されていてよい。
【００２４】
ドクタ保持装置の有利な構成は、該ドクタ保持装置が支持体に解離可能に結合されていることにあってよい。このことは、たとえばねじ結合またはスナップ結合によって行うことができる。支持体との結合は直接的に、または前記ウェブを介して可能となる。
【００２５】
ドクタエレメントは、クランプされておりかつ／または単に載置されていることによりドクタ保持装置に保持されている。ドクタ保持装置の、このようにドクタエレメントが保持されている範囲は、少なくとも部分的に、耐摩耗性の材料を備えていると極めて有利である。このためには、たとえば金属ストリップまたはセラミックストリップが使用可能である。
【００２６】
本考案による均斉化装置のさらに別の有利な実施態様は、ドクタ保持装置が、少なくとも部分的に中実でなく、つまり中空に形成されていることにある。この場合、ハニカム構造もしくはハニカム状の構造を選択することが有利である。ハニカムは当該均斉化装置もしくはドクタ保持装置の横方向（cross direction）に延びていることが望ましい。このような構成は、とりわけＣＦＲＰまたはＧＦＲＰから成るドクタ保持装置の繊維および樹脂のための高価な材料コストを節約する。
【００２７】
以下に、本考案の実施形態を図面につき詳しく説明する。
【図面の簡単な説明】
【００２８】
【図１】ドクタ保持装置が機械的に直接に支持体に結合されている、本考案による均斉化装置の１実施形態を示す概略図である。
【図２】ドクタ保持装置がウェブを介して間接的に支持体に結合されている、本考案による均斉化装置の別の実施形態を示す概略図である。
【００２９】
図１には、走行中の材料ウェブ、特に紙ウェブ、厚紙ウェブ、ティッシュウェブまたは別の繊維材料ウェブに直接的または間接的に塗被可能な液状またはペースト状の媒体を均斉にするための均斉化装置１０の１実施形態が概略的に図示されている。
【００３０】
均斉化装置１０は少なくとも１つのドクタエレメント１２と、このドクタエレメント１２を取り付けるためのドクタ保持装置１４とを有している。ドクタエレメント１２は、たとえば塗工ブレードまたは任意の別の種類のドクタエレメントであってよい。ドクタエレメント１２は対向ローラ２８に向かい合って配置されている。対向ローラ２８は間接的な塗工方法の場合には液状またはペースト状の媒体１６のためのキャリヤ面として働き、直接的な塗工方法の場合には材料ウェブのための支持面として働く。対向ローラ２８の回転方向は矢印１８により示されている。
【００３１】
ドクタ保持装置１４は支持体２０に支持されている。この場合には、ドクタ保持装置１４が、たとえば機械的に直接にこの支持体２０に結合されている。
【００３２】
支持体２０には、付加的に塗工装置２２が支持されていてよい。この塗工装置２２を介して、液状もしくはペースト状の媒体１６が対向ローラ２８もしくはこの対向ローラ２８に支持された材料ウェブに塗被される。
【００３３】
ドクタ保持装置１４は少なくともほぼ繊維複合材料から成っている。
【００３４】
この場合、ドクタ保持装置１４は、たとえばガラス繊維強化プラスチック（ＧＦＲＰ）を含有する材料から成っていてよい。ドクタ保持装置１４は特に少なくともほぼ全体が、ガラス繊維強化プラスチック（ＧＦＲＰ）から成っていてよい。
【００３５】
ドクタ保持装置１４は特に、ガラス繊維、ガラス糸、少なくとも１つのガラスマットおよび／または少なくとも１つのガラス織布を有する材料から成っていてよい。
【００３６】
保持装置１４の、ガラス繊維強化プラスチック（ＧＦＲＰ）を含有する材料は補強されていて、かつ／または充填材を備えていると有利である。
【００３７】
保持装置１４の、ガラス繊維強化プラスチック（ＧＦＲＰ）を含有する材料は、たとえばハンドレイアップまたは引抜成形により製造されていてよい。
【００３８】
しかし、ドクタ保持装置１４は、アラミドを含有する材料から成っていてもよい。その場合、ドクタ保持装置１４は、有利には少なくともほぼ全体がアラミドから成っていてよい。
【００３９】
この場合、ドクタ保持装置１４は特に、アラミド繊維、アラミド糸、少なくとも１つのアラミドマットおよび／または少なくとも１つのアラミド織布を含有する材料から成っていてよい。
【００４０】
ドクタ保持装置１４の、アラミドを含有する材料は、たとえばやはり補強されていて、かつ／または充填材を備えていてよい。
【００４１】
さらに、ドクタ保持装置１４の、アラミドを含有する材料は、たとえばやはりハンドレイアップまたは引抜成形により製造されていてよい。
【００４２】
ドクタ保持装置１４は、たとえば炭素繊維強化プラスチック（ＣＦＲＰ）を含有する材料から成っていてもよい。この場合、ドクタ保持装置１４は特に少なくともほぼ全体が炭素繊維強化プラスチック（ＣＦＲＰ）から成っていてよい。
【００４３】
ドクタ保持装置１４は特に、炭素繊維、炭素糸、少なくとも１つの炭素マットおよび／または少なくとも１つの炭素織布を含有する材料から成っていてよい。
【００４４】
ドクタ保持装置１４の、炭素繊維強化プラスチック（ＣＦＲＰ）を含有する材料は、たとえばハンドレイアップによるか、またはオートクレーブ中で特にプリプレグから製造されていてよい。
【００４５】
全ての場合において、ドクタ保持装置１４は、約−４×１０−６ｍ／Ｋ〜約＋４×１０−６ｍ／Ｋの範囲の熱膨張率を有していると有利である。
【００４６】
塗工装置２２はウェブ２４を介して支持体２０に結合されていてよい。
【００４７】
図１に示した実施形態では、ドクタ保持装置１４が機械的に直接に支持体２０に結合されているが、図２に示した均斉化装置１０の別の実施形態では、ドクタ保持装置１４が熱的なシールドもしくは遮蔽を用いて間接的に支持体２０に結合されている。
【００４８】
この場合、ドクタ保持装置１４は複数のウェブ２６を介して間接的に支持体２０に結合されている。熱的なシールドもしくは遮蔽は、各ウェブ２６の間に存在する空気を介して行われると有利である。この空気は、たとえば運動させられていてもよい。
【００４９】
その他の点で、図２に示した実施形態は少なくともほぼ、図１に示した構造と同じ構造を有している。この場合、特にドクタエレメント１２も、図１につき説明したドクタエレメント１２と同様に形成されていてよい。互いに対応する部分は同じ符号で示されている。
【符号の説明】
【００５０】
１０  均斉化装置
１２  ドクタエレメント
１４  ドクタ保持装置
１６  液状またはペースト状の媒体
１８  矢印
２０  支持体
２２  塗工装置
２４  ウェブ
２６  ウェブ
２８  対向ローラ
【図１】
0003175276.tif 000003
【図２】
0003175276.tif 000004